(57)【要約】      （修正有）【課題】企業等、特定の組織内の様々な業務活動に適した会員専用コンテンツ配信システムを利用する会員の増加に資する新たなビジネスモデルを提供する。【解決手段】エンタープライズビデオシステム１３は、複数の会員がそれぞれ管理する会員サーバ６１〜６ｎと、会員サーバと通信ネットワーク１２を介して接続されるサービス提供者サーバ１０とからなり、会員専用のコンテンツである会員専用コンテンツを制作・視聴する会員専用コンテンツ配信システムを構成する。サービス提供者サーバは、スポンサー４から提供された広告コンテンツを会員サーバに提供するスポンサー情報提供手段と、スポンサーから提供された会員向け資金の金額を、スポンサー情報の提供を受ける会員に所属する複数の会員構成員一人一人に分配・割り当てる際の割り当て金額を算出する、割当金額算出処理部とを備える。【選択図】図２
2016177532.tif 000002
【特許請求の範囲】
【請求項１】
複数の会員がそれぞれ管理する会員サーバと、当該会員サーバと通信ネットワークを介して接続されるサービス提供者サーバとからなり、
前記会員サーバは、それぞれの会員内通信ネットワークを介して、当該会員に所属する複数の会員構成員が使用する複数の会員構成員端末と相互に通信可能に接続され、当該会員内通信ネットワークによって、当該会員専用のコンテンツである会員専用コンテンツを制作・視聴する会員内動画配信システムが構築されるエンタープライズビデオシステムであって、
前記サービス提供者サーバは、第一のスポンサーから提供されたコンテンツである第一のスポンサー情報が、前記会員専用コンテンツ配信システムにおいて、各会員構成員端末で提供されるように、前記第一のスポンサー情報を、前記会員サーバに提供する第一のスポンサー情報提供手段と、
前記第一のスポンサーから提供された会員向け資金の金額を、当該第一のスポンサー情報の提供を受ける前記会員に所属する前記複数の会員構成員一人一人に分配・割り当てる際の割り当て金額を算出する第一の割当金額算出処理部と
を備えていることを特徴とするエンタープライズビデオシステム。
【請求項２】
前記サービス提供者サーバは、提供するコンテンツを指定した特定の会員に対してのみ配信することを希望する第二のスポンサーから提供されたコンテンツである第二のスポンサー情報が、当該配信先が特定された前記会員の前記会員専用コンテンツ配信システムにおいて、各会員構成員端末で提供されるように、前記第二のスポンサー情報を、前記配信先が特定された前記会員サーバに提供する第二のスポンサー情報提供手段と、
前記第二のスポンサーから提供された前記特定の会員向け資金の金額を、当該第二のスポンサー情報の提供を受ける前記特定の会員に所属する前記複数の会員構成員一人一人に分配・割り当てる際の割り当て金額を算出する第二の割当金額算出処理部と
を、更に備えていることを特徴とする請求項１記載のエンタープライズビデオシステム。
【請求項３】
前記サービス提供者サーバは、
前記第一の割当金額算出部が算出した前記第一の割り当て金額に基づいて、複数の前記第一のスポンサーそれぞれの前記第一のスポンサー情報を前記第一の割り当て金額の多寡に応じて前記会員構成員端末に表示させる順位を決める第一のスポンサー情報順位付け手段を、更に備えていることを特徴とする請求項２記載のエンタープライズビデオシステム。
【請求項４】
前記サービス提供者サーバは、
前記第二の割当金額算出部が算出した前記第二の割り当て金額に基づいて、複数の前記第二のスポンサーそれぞれの前記第二のスポンサー情報を前記割り当て金額の多寡に応じて、前記特定の会員に属する前記複数の会員構成員の会員構成員端末に表示させる順位を決める第二の広告コンテンツ順位付け手段
を、更に備えている請求項３記載のエンタープライズビデオシステム。
【発明の詳細な説明】
【技術分野】
【０００１】
この発明は、企業などの会員が管理・運営している当該企業内に限られている会員ネットワーク内で、当該企業に勤務する社員、等の当該会員に属する会員構成員に様々なコンテンツを配信するエンタープライズビデオシステムに関する。
【背景技術】
【０００２】
インターネット技術、ブロードバンド環境の普及により、ユーザの端末装置に動画コンテンツや広告動画を配信する種々の動画配信サービスが提供されている。特許文献１には動画配信サービスの技術の一例が提案されている。
【０００３】
このような動画配信サービスによって配信される動画コンテンツはコンシューマービデオと呼ばれ、世界中のユーザから日々数多くの動画コンテンツがアップロードされ、視聴に供されている。
【先行技術文献】
【特許文献】
【０００４】
【特許文献１】特開２０１２−１４２７８２号公報
【発明の概要】
【発明が解決しようとする課題】
【０００５】
不特定多数のユーザが手軽にコンシューマービデオを制作・視聴できる前記動画配信サービスの他、企業等、特定の組織の限られたネットワーク内において、ビジネス、教育、コミュニケーション等のツールとして当該企業、等に勤務する社員、等専用の動画コンテンツを制作・視聴可能な企業内、等専用コンテンツ配信システムも利用されている。
【０００６】
この企業内、等専用コンテンツ配信システムは、利用する企業、等の限られたネットワーク内に構築され情報管理に優れた格式の高いシステムである。また、当該企業、等に勤務する社員、等専用の動画コンテンツを容易に制作できることから、企業等、特定の組織内の様々な業務活動に適している。
【０００７】
その一方で、この企業内、等専用コンテンツ配信システムを企業が単独で導入すると導入コストが増すため、コストの観点から普及が鈍化している状況である。
【０００８】
そこで、この発明は、企業等、特定の組織内の様々な業務活動に適した企業内、等専用コンテンツ配信システムを利用する企業等、特定の組織が、低コストで、当該企業内、等専用コンテンツ配信システムを利用できるようになる新たなビジネスモデルを提供することを目的とする。
【課題を解決するための手段】
【０００９】
上記課題を解決するため、請求項１の発明は、
複数の会員がそれぞれ管理する会員サーバと、当該会員サーバと通信ネットワークを介して接続されるサービス提供者サーバとからなり、
前記会員サーバは、それぞれの会員内通信ネットワークを介して、当該会員に所属する複数の会員構成員が使用する複数の会員構成員端末と相互に通信可能に接続され、当該会員内通信ネットワークによって、当該会員専用のコンテンツである会員専用コンテンツを制作・視聴する会員内動画配信システムが構築されるエンタープライズビデオシステムであって、
前記サービス提供者サーバは、第一のスポンサーから提供されたコンテンツである第一のスポンサー情報が、前記会員専用コンテンツ配信システムにおいて、各会員構成員端末で提供されるように、前記第一のスポンサー情報を、前記会員サーバに提供する第一のスポンサー情報提供手段と、
前記第一のスポンサーから提供された会員向け資金の金額を、当該第一のスポンサー情報の提供を受ける前記会員に所属する前記複数の会員構成員一人一人に分配・割り当てる際の割り当て金額を算出する第一の割当金額算出処理部と
を備えていることを特徴とするエンタープライズビデオシステム
である。
【発明の効果】
【００１０】
この発明によれば、企業等、特定の組織内の様々な業務活動に適した企業内、等専用コンテンツ配信システムを利用する企業等、特定の組織が、低コストで、当該企業内、等専用コンテンツ配信システムを利用できるようになる新たなビジネスモデルを提供することができる。
【図面の簡単な説明】
【００１１】
【図１】本発明の概要を表す図である。
【図２】本発明の一実施形態に係るシステム構成の一例を表す図である。
【図３】会員専用コンテンツ配信システムの一例を表す図である。
【図４】サービス提供者サーバの構成の一例を表す図である。
【図５】スポンサー情報の一例を表す図である。
【図６】会員情報の一例を表す図である。
【図７】サービス提供者サーバの処理のうち、スポンサーから提供された会員向け資金を会員構成員に分配・割り当てる割当金額の算出処理と、会員専用及び広告コンテンツを会員構成員端末に配信する配信処理の一例を表すフローチャートである。
【図８】サービス提供者サーバの処理のうち、会員がサービス提供者に支払う利用料金を算出する処理の一例を表すフローチャートである。
【図９】会員専用及び広告コンテンツが会員構成員端末に表示される一例を表す図である。
【発明を実施するための形態】
【００１２】
以下、添付図面を参照して、本発明の実施形態の一例を説明する。この発明は、この発明が提供するシステムを利用する会員（例えば、企業、等の組織）が管理・運営している当該企業、等の会員内に限られている会員ネットワーク内において、会員構成員（例えば、会員である企業に勤務する社員、等）がビジネス、教育、コミュニケーション等のツールとして会員専用コンテンツを制作・視聴可能な情報提供システムである。
【００１３】
以下、この情報提供システムをエンタープライズビデオシステムという。
【００１４】
また、前記会員専用コンテンツをエンタープライズビデオということがある。当該エンタープライズビデオとしては、企業等、特定の組織である会員が、ビジネス、教育、コミュニケーション等のツールとして当該会員内に限られている会員ネットワーク内で利用する動画コンテンツがある。
【００１５】
例えば、医療の分野では、以下のような動画コンテンツが例示される。
【００１６】
・病院長、執行部からのメッセージ、半期ごとの病院理事長によるスピーチ、各部門のミーティング
・手術術式のトレーニングビデオ
・医療安全、感染制御などの研修会、各種講習会・トレーニング
・人事トレーニングビデオ（支払基金制度、病院方針の徹底、カスタマーサービスの向上、プライバシーに関する教育等）
【００１７】
このようなエンタープライズビデオは、従来知られている動画コンテンツ制作技術等によって制作することができる。
【００１８】
図１は、本発明の概要を表す図であり、図２は、本発明の一実施形態に係るシステム構成の一例を表す図である。
【００１９】
図２図示のエンタープライズビデオシステム１３は、サービス提供者サーバ１０と、企業など複数の会員２（２１・・・２ｎ）（以下、単に「会員２」という）がそれぞれ管理する会員サーバ６（６１・・・６ｎ）（以下、単に「会員サーバ６」という）とが、通信ネットワーク１２を介して相互に通信可能に接続されてなる。
【００２０】
会員サーバ６は、会員２がそれぞれ管理・運営している前記企業内などの会員２内に限られている会員内通信ネットワーク８を介して、会員２に所属する前記社員、等の複数の会員構成員３（３１・・・３ｎ）（以下、単に「構成員３」という）が使用する複数の会員構成員端末７（７１・・・７ｎ）（以下、単に「会員構成員端末７」という）と相互に通信可能に接続される。
【００２１】
前記企業内などの会員２内に限られている会員内通信ネットワーク８において、会員サーバ６は、会員構成員端末７から取得した会員２や会員構成員３のＩＤやパスワード等を認証する所定の認証処理を行う。当該認証処理は、従来知られている認証技術を用いてサーバ６に行わせることができる。
【００２２】
このような会員内通信ネットワーク８内で、会員構成員３がビジネス、教育、コミュニケーション等のツールである前記エンタープライズビデオを制作・視聴する会員専用コンテンツ配信システム９が構築される。
【００２３】
会員２は、サービス提供者１から会員専用コンテンツ配信システム９の提供を受け、会員２に所属する複数の会員構成員３は、それぞれ会員構成員端末７を使用して前記エンタープライズビデオを会員内通信ネットワーク８内で制作・視聴する。
【００２４】
この実施の形態では、サービス提供者１が会員専用コンテンツ配信システム９を会員２へ提供しているが、会員専用コンテンツ配信システム９については、これを製作している企業（図示していない）からサービス提供者１が提供を受け、会員２へのサービス提供者１からの会員専用コンテンツ配信システム９の提供は、会員専用コンテンツ配信システム９を製作している前記企業と会員２との間の仲介を行っているだけの形式にすることができる。
【００２５】
また、この実施の形態では、会員２に所属し、会員サーバ６によってＩＤやパスワード等が認証された複数の会員構成員３が、会員内通信ネットワーク８内で前記エンタープライズビデオを制作・視聴する会員専用コンテンツ配信システム９としている。この他、会員２には、会員２と会員構成員３との関係において、会員構成員３を持たない個人の会員を含めることができる。
【００２６】
前記個人の会員も、会員構成員３が会員構成員端末７を使用するのと同様に、図示していない個人会員の端末を使用して会員サーバ６に自己のＩＤやパスワード等を認証させ、前記エンタープライズビデオを会員内通信ネットワーク８内で制作・視聴することができる。
【００２７】
図示の実施形態において、サービス提供者サーバ１０と、会員２に広告コンテンツを配信することを希望する複数のスポンサー４（４１・・・４ｎ）（以下、単に「スポンサー４」という）が使用するスポンサー端末１１（１１１・・・１１ｎ）（以下、単に「スポンサー端末」という）とが、通信ネットワーク１２を介して通信可能に接続されている。
【００２８】
スポンサー４は、会員２に提供する会員向け資金をサービス提供者１に支払い、スポンサー端末１１を使用して会員２に提供する自己の広告コンテンツを制作し、サービス提供者１に提供する。
【００２９】
前記広告コンテンツとして動画広告や静止画広告（例えば、スポンサー４のウェブサイトを示すＵＲＬ情報など）がある。
【００３０】
広告コンテンツの制作はスポンサー４だけでなく、制作を委託された広告制作者５が行っても良い。図１、図２図示の実施形態では、広告制作者５が、スポンサー４の広告コンテンツを制作できる広告制作者端末５ａを使用して前記広告コンテンツを制作する形態としている。
【００３１】
図１、図２図示の実施形態の他、サービス提供者１がスポンサー４あるいは広告制作者５から提供を受ける前記広告コンテンツは、通信ネットワーク１２を介さずに、記録媒体に格納された状態で提供を受けることもできる。
【００３２】
サービス提供者１は、サービス提供者サーバ１０を使用して前記会員向け資金に関する情報及びスポンサー４あるいは広告制作者５から提供された前記広告コンテンツを管理する。
【００３３】
サービス提供者サーバ１０は、提供を受けたスポンサー４の広告コンテンツを会員サーバ６に提供する。会員構成員端末７では、前記広告コンテンツが表示され、会員構成員３は、会員構成員端末７を使用して前記エンタープライズビデオを会員内通信ネットワーク８内で視聴する際、前記広告コンテンツも視聴することができる。
【００３４】
また、サービス提供者サーバ１０は、前記会員向け資金に関する情報に基づいて、スポンサー４から提供された会員２への前記会員向け資金の金額を、スポンサー４の広告コンテンツの提供を受ける会員２に所属する複数の会員構成員３一人一人に分配・割り当てる際の割り当て金額を算出する。
【００３５】
算出された割り当て金額によって、会員２が自己に所属している会員構成員３の人数に応じてサービス提供者１に支払う会員専用コンテンツ配信システム９の利用料金が、予め定められている金額から減額される。これによって、会員２は導入コストを抑えて会員専用コンテンツ配信システム９を利用することができる。
【００３６】
［本発明の構成］
【００３７】
１．会員構成員端末の構成
【００３８】
図３は、会員構成員端末７と会員サーバ６とで構成されてなる会員専用コンテンツ配信システム９の一例を表した図である。
【００３９】
会員構成員端末７は、会員専用コンテンツ配信システム９の提供を受ける複数の会員２に所属する複数の会員構成員３が使用する端末であって、パーソナルコンピュータ、タブレット型端末等の端末である。
【００４０】
会員構成員端末７は、インターネット通信網、無線通信規格で定められている無線通信網などの会員内通信ネットワーク８を介して会員サーバ６との間で相互に情報通信を行う情報送受信手段１４を備えている。
【００４１】
会員構成員端末７は、キーボードやマウス、タッチパネル等、情報の入力装置である入力手段１６と、液晶ディスプレイ等、情報の表示装置である表示手段１７とを備えている。
【００４２】
会員構成員３は、会員２がサービス提供者１から会員専用コンテンツ配信システム９の提供を受けることで、それぞれ会員構成員端末７を使用して前記エンタープライズビデオを会員内通信ネットワーク８内で制作・視聴することができる。
【００４３】
これらの各手段によって行われる情報処理が、ＣＰＵ、ＲＡＭ、ＲＯＭ等を含む制御手段１５によって制御される。
【００４４】
なお、図示の形態の他、上述したように、会員２には、会員２と会員構成員３との関係において、会員構成員３を持たない前記個人の会員を含めることができる。この場合、当該個人の会員が保有する前記個人会員の端末も、会員構成員７が備える上記各手段を備えている。
【００４５】
２．会員サーバの構成
【００４６】
会員サーバ６は、会員専用コンテンツ配信システム９において、会員構成員端末７へ前記エンタープライズビデオの配信を管理するサーバ装置である。
【００４７】
会員サーバ６は、会員内通信ネットワーク８を介して会員構成員端末７との間で相互に情報通信を行う情報送受信手段１８を備えている。
【００４８】
会員サーバ６は、ハードディスク等の記憶手段２０を備えている。記憶手段２０には、会員構成員端末７から取得した前記エンタープライズビデオを記憶する会員専用コンテンツデータベース２０ａ（以下、本明細書、図面において、データベースを「ＤＢ」という）が備えられている。
【００４９】
会員サーバ６は、会員構成員端末７から取得した会員２や会員構成員３のＩＤやパスワード等を認証する認証手段２１を備えている。
【００５０】
会員サーバ６は、認証手段２１によって会員２や会員構成員３のＩＤやパスワード等が認証された会員構成員端末７からの要求に応じて、会員専用コンテンツＤＢ２０ａから当該要求に係るエンタープライズビデオを会員構成員端末７に配信する会員専用コンテンツ配信手段２２を備えている。
【００５１】
会員サーバ６は、後述するサービス提供者サーバ１０から提供される第一のスポンサー情報及び第二のスポンサー情報に含まれるスポンサー４の広告コンテンツを会員構成員端末７に配信する広告コンテンツ配信手段２３を備えている。
【００５２】
これらの各手段によって行われる情報処理が、ＣＰＵ、ＲＡＭ、ＲＯＭ等を含む制御手段１９によって制御される。
【００５３】
３．サービス提供者サーバの構成
【００５４】
図４は、サービス提供者サーバ１０の構成の一例を表す図である。
【００５５】
サービス提供者サーバ１０は、エンタープライズビデオシステム１３において、スポンサー４から提供された会員２への会員向け資金に基づいて作成された資金に関する情報及び、提供を受けたスポンサー４の広告コンテンツを管理するサーバ装置である。
【００５６】
前記資金に関する情報は、後述する図５に例示されるスポンサー情報３３に含まれる当該資金の金額や当該資金を提供したスポンサー４のＩＤ等である。これらは図示していないパーソナルコンピュータ、タブレット型端末等のサービス提供者１が使用するサービス提供者端末又はスポンサー端末１１から取得する。
【００５７】
サービス提供者サーバ１０は、インターネット通信網、無線通信規格で定められている無線通信網などの通信ネットワーク１２を介して会員サーバ６、スポンサー端末１１又は広告制作者端末５ａとの間で相互に情報通信を行う情報送受信手段２４を備えている。
【００５８】
サービス提供者サーバ１０は、ハードディスク等の記憶手段２６を備えている。記憶手段２６には、スポンサー端末１１から提供された前記広告コンテンツを含む第一のスポンサー情報及び第二のスポンサー情報を記憶するスポンサー情報ＤＢ２６ａが備えられている。
【００５９】
図５にスポンサー情報３３の一例を示す。図示のスポンサー情報３３には、スポンサーＩＤ、種別、会員２へ提供した会員向け資金の金額、広告コンテンツ種別等の情報が含まれている。
【００６０】
図示のスポンサー情報３３では、スポンサー４は、自己の広告コンテンツを複数の会員２全てに配信することを希望する一般スポンサーと、自己の広告コンテンツを特定の会員２のみに配信することを希望する特定スポンサーに分けられている。
【００６１】
以下、自己の広告コンテンツを複数の会員２全てに配信することを希望する一般スポンサーを第一のスポンサー４ａといい、第一のスポンサー４ａに係るスポンサー情報３３を第一のスポンサー情報３３ａという。
【００６２】
また、自己の広告コンテンツを特定の会員２のみに配信することを希望する特定スポンサーを第二のスポンサー４ｂといい、第二のスポンサー４ｂに係るスポンサー情報３３を第二のスポンサー情報３３ｂという。
【００６３】
図示のスポンサー情報３３に含まれる広告コンテンツとして動画広告や静止画広告（例えば、スポンサー４のウェブサイトを示すＵＲＬ情報など）がある。
【００６４】
記憶手段２６には、会員サーバ６から取得した会員２に関する情報を記憶する会員情報ＤＢ２６ｂが備えられている。会員２に関する情報は、図示していない前記サービス提供者端末から取得する構成にすることもできる。
【００６５】
図６に会員情報３４の一例を示す。図示の会員情報３４には、会員ＩＤ、会員構成員数、種別、スポンサー４から提供された会員向け資金の会員構成員３への割当金、会員専用コンテンツ配信システム９の利用料金、等の情報が含まれている。
【００６６】
以下、第一のスポンサー４ａから当該第一のスポンサー４ａの広告コンテンツの提供を受ける会員２を一般会員２ａといい、第二のスポンサー４ｂから当該第二のスポンサー４ｂの広告コンテンツの提供を受ける特定の会員２を特定会員２ｂという。
【００６７】
サービス提供者サーバ１０は、前記サービス提供者端末から取得した前記資金に関する情報に基づいて、スポンサー４から提供された会員２への会員向け資金の金額を、スポンサー４の前記広告コンテンツの提供を受ける会員２に所属する複数の会員構成員３一人一人に分配・割り当てる際の割り当て金額を算出する割当金額算出手段２７を備えている。算出された前記割り当て金額は会員情報ＤＢ２６ｂに記憶される。
【００６８】
割当金額算出手段２７は第一の割当金額算出部２７ａ及び第二の割当金額算出部２７ｂで構成されている。
【００６９】
第一の割当金額算出部２７ａは、第一のスポンサー４ａ（一般スポンサー）から提供された会員向け資金の金額を、スポンサー端末１１から提供された前記広告コンテンツを含む第一のスポンサー情報３３ａの提供を受ける一般会員２ａに所属する複数の会員構成員３一人一人に分配・割り当てる際の第一の割り当て金額を算出する。
【００７０】
例えば、図５図示のスポンサーＩＤがＳ−０００１の第一のスポンサー４ａが、会員向け資金の金額として５００，０００円を提供した場合、第一の割り当て金額は以下のように算出される。
【００７１】
・第一のスポンサー情報３３ａの提供を受ける一般会員２ａに所属する複数の会員構成員数を集計する。
【００７２】
図５、図６図示の例では、図６図示の会員情報３４から一般会員２ａの会員構成員数は８，０００人となる。
【００７３】
・前記会員向け資金の金額の実質金額を算出する。この実施形態では、前記実質金額を会員向け資金の金額の７０％と予め定めている。
【００７４】
図５、図６図示の例では、前記実質金額は３５０，０００円となる。
【００７５】
・前記実質金額を、集計した一般会員２ａの会員構成員数で除算して前記第一の割り当て金額を算出する。
【００７６】
図５、図６図示の例では、前記スポンサーＩＤがＳ−０００１の第一のスポンサー４ａが提供した会員向け資金の前記第一の割り当て金額は４３円となる。
【００７７】
・一般会員２ａごとに前記第一の割り当て金額を集計する。
【００７８】
図５、図６図示の例では、会員ＩＤがＭ−０００１、Ｍ−０００２、Ｍ−０００３及びＭ−０００６に係る一般会員２ａへの、スポンサーＩＤがＳ−０００１、Ｓ−０００２、Ｓ−０００３及びＳ−０００６に係る第一のスポンサー４ａが提供した会員向け資金の前記第一の割り当て金額の合計は９０円となる。
【００７９】
第二の割当金額算出部２７ｂは、第二のスポンサー４ｂ（特別スポンサー）から提供された特定会員向け資金の金額を、スポンサー端末１１から提供された前記広告コンテンツを含む第二のスポンサー情報３３ｂの提供を受ける特定会員２ｂに所属する複数の会員構成員３一人一人に分配・割り当てる際の第二の割り当て金額を算出する。
【００８０】
例えば、図５図示のスポンサーＩＤがＳ−０００４の第二のスポンサー４ｂが、自己の前記広告コンテンツを含む第二のスポンサー情報３３ｂを会員ＩＤがＭ−０００４、Ｍ−０００５及びＭ−０００６の特定会員２ｂのみに配信することを希望し、特定会員向け資金の金額として２５０，０００円を提供した場合、第二の割り当て金額は以下のように算出される。
【００８１】
・第二のスポンサー情報３３ｂの提供を受ける特定会員２ｂに所属する会員構成員数を集計する。
【００８２】
図５、図６図示の例では、図６図示の会員情報３４から特定会員２ｂの構成員数は３２０人となる。
【００８３】
・前記特定会員向け資金の金額の実質金額を算出する。この実施形態では、前記実質金額を特定会員向け資金の金額の５０％と予め定めている。
【００８４】
図５、図６図示の例では、前記実質金額は１２５，０００円となる。
【００８５】
・前記実質金額を、集計した特定会員２ｂの会員構成員数で除算して前記第二の割り当て金額を算出する。
【００８６】
図５、図６図示の例では、会員ＩＤがＭ−０００４、Ｍ−０００５及びＭ−０００６に係る特定会員２ｂへの、前記スポンサーＩＤがＳ−０００４の第二のスポンサー４ｂが提供した特定会員向け資金の前記第二の割り当て金額は３９０円となる。
【００８７】
・特定会員２ｂごとに前記第二の割り当て金額を集計する。
【００８８】
図５、図６図示の例では、会員ＩＤがＭ−０００４、Ｍ−０００５及びＭ−０００６に係る特定会員２ｂへの、スポンサーＩＤがＳ−０００４、Ｓ−０００５及びＳ−０００６に係る第二のスポンサー４ｂが提供した特定会員向け資金の前記第二の割り当て金額の合計は６２４円となる。
【００８９】
サービス提供者サーバ１０は、第一の割当金額算出部２７ａが算出した第一の割り当て金額に基づいて、複数の第一のスポンサー４ａそれぞれの前記広告コンテンツを前記第一の割り当て金額の多寡に応じて会員構成員端末７に表示させる順位を決める第一の広告コンテンツ順位付け手段２８を備えている。当該順位に関する情報はスポンサー情報ＤＢ２６ａに記憶される。
【００９０】
図５、図６図示の例では、スポンサーＩＤがＳ−０００１に係る第一のスポンサー４ａの前記広告コンテンツを一般会員２ａに係る会員構成員端末７に表示させる順位は１位となる。
【００９１】
サービス提供者サーバ１０は、スポンサー情報ＤＢ２６ａに記憶されている図５に例示したスポンサー情報３３に含まれている第一のスポンサー情報３３ａを会員サーバ６に提供する第一のスポンサー情報提供手段２９を備えている。
【００９２】
会員サーバ６では、広告コンテンツ配信手段２３によって、第一のスポンサー情報３３ａに含まれる広告コンテンツが会員構成員端末７に配信される。
【００９３】
サービス提供者サーバ１０は、第二の割当金額算出部２７ｂが算出した第二の割り当て金額に基づいて、複数の第二のスポンサー４ｂそれぞれの前記広告コンテンツを前記割り当て金額の多寡に応じて特定会員２ｂに係る会員構成員端末７に表示させる順位を決める第二の広告コンテンツ順位付け手段３０を備えている。当該順位に関する情報はスポンサー情報ＤＢ２６ａに記憶される。
【００９４】
図５、図６図示の例では、スポンサーＩＤがＳ−０００４に係る第二のスポンサー４ｂの前記広告コンテンツを特定会員２ｂに係る会員構成員端末７に表示させる順位は１位となる。
【００９５】
サービス提供者サーバ１０は、スポンサー情報ＤＢ２６ａに記憶されている図５に例示したスポンサー情報３３に含まれている第二のスポンサー情報３３ｂを会員サーバ６に提供する第二のスポンサー情報提供手段３１を備えている。
【００９６】
会員サーバ６では、広告コンテンツ配信手段２３によって、第二のスポンサー情報３３ｂに含まれる広告コンテンツが特定会員２ｂに係る会員構成員端末７に配信される。
【００９７】
サービス提供者サーバ１０は、割当金額算出手段２７が算出した前記第一及び第二の割当金額に基づいて、会員２が自己に所属している会員構成員３の人数に応じてサービス提供者１に支払う会員専用コンテンツ配信システム９の利用料金を算出する利用料金算出手段３２を備えている。算出された前記利用料金は会員情報ＤＢ２６ｂに記憶される。
【００９８】
利用料金算出手段３２は、割当金額算出手段２７が算出し集計した第一のスポンサー４ａが提供した会員向け資金の前記第一の割り当て金額に基づいて、一般会員２ａが自己に所属している会員構成員３の人数に応じてサービス提供者１に支払う会員専用コンテンツ配信システム９の利用料金を会員２ごとに算出する。
【００９９】
以下、図５、図６図示の例において、会員２が自己に所属している会員構成員３の人数に応じてサービス提供者１に支払う会員専用コンテンツ配信システム９の基本利用料金を月額１，０００円とする。
【０１００】
会員ＩＤがＭ−０００１、Ｍ−０００２、Ｍ−０００３及びＭ−０００６に係る一般会員２ａへの、スポンサーＩＤがＳ−０００１、Ｓ−０００２、Ｓ−０００３及びＳ−０００６に係る第一のスポンサー４ａが提供した会員向け資金の前記第一の割り当て金額の合計は９０円である。
【０１０１】
利用料金算出手段３２は、前記基本利用料金（１，０００円）から前記第一の割り当て金額の合計（９０円）を減算し、前記利用料金（９１０円）を算出する。
【０１０２】
利用料金算出手段３２は、割当金額算出手段２７が算出し集計した第二のスポンサー４ｂが提供した特定会員向け資金の前記第二の割り当て金額に基づいて、特定会員２ｂが自己に所属している会員構成員３の人数に応じてサービス提供者１に支払う会員専用コンテンツ配信システム９の利用料金を特定会員２ｂごとに算出する。
【０１０３】
図５、図６図示の例では、会員ＩＤがＭ−０００４、Ｍ−０００５及びＭ−０００６に係る特定会員２ｂへの、スポンサーＩＤがＳ−０００４、Ｓ−０００５及びＳ−０００６に係る第二のスポンサー４ｂが提供した特定会員向け資金の前記第二の割り当て金額の合計は６２４円である。
【０１０４】
利用料金算出手段３２は、前記基本利用料金（１，０００円）から前記第二の割り当て金額の合計（６２４円）を減算し、前記利用料金（３７６円）を算出する。
【０１０５】
また、図５、図６図示の例において、会員ＩＤがＭ−０００６に係る会員２への、スポンサーＩＤがＳ−０００１、Ｓ−０００２、Ｓ−０００３及びＳ−０００６に係る第一のスポンサー４ａが提供した会員向け資金の前記第一の割り当て金額と、スポンサーＩＤがＳ−０００４、Ｓ−０００５及びＳ−０００６に係る第二のスポンサー４ｂが提供した特定会員向け資金の前記第二の割り当て金額の合計は７１４円である。
【０１０６】
利用料金算出手段３２は、前記基本利用料金（１，０００円）から前記第一及び第二の割り当て金額の合計（７１４円）を減算し、前記利用料金（２８６円）を算出する。
【０１０７】
これらの各手段によって行われる情報処理が、ＣＰＵ、ＲＡＭ、ＲＯＭ等を含む制御手段２５によって制御される。
【０１０８】
このように、本発明のエンタープライズビデオシステム１３によれば、会員２に資金を提供するスポンサー４の数、当該資金の額が増加するごとに、会員２が自己に所属している会員構成員３の人数に応じてサービス提供者１に支払う会員専用コンテンツ配信システム９の利用料金がディスカウントされる。これによって、会員２は会員専用コンテンツ配信システム９の導入コストを抑えて当該システムの提供を受けることができる。
【０１０９】
また、スポンサー４のうち、第一のスポンサー４ａである一般スポンサーは会員専用コンテンツ配信システム９を利用する一般会員２ａである全会員２に対して万遍なく広告宣伝することができる。
【０１１０】
また、スポンサー４のうち、第二のスポンサー４ｂである特定スポンサーは、自己と関連のある特定会員２ｂのみに広告宣伝することができる。
【０１１１】
［本発明の処理フロー］
【０１１２】
１．会員構成員への会員向け資金の割当金額の算出処理と、会員専用及び広告コンテンツの配信処理
【０１１３】
図７は、サービス提供者サーバ１０の処理のうち、スポンサー４から提供された会員向け資金を会員２の会員構成員３に分配・割り当てる割当金額の算出処理と、会員専用及び広告コンテンツを会員構成員端末７に配信する配信処理の一例を表すフローチャートである。
【０１１４】
会員２は、図示していないパーソナルコンピュータ、タブレット型端末等の会員端末を使用して図６に例示される会員構成員数等の必要な会員情報３４を入力する（Ｓ１０１）。入力された会員情報３４はサービス提供者サーバ１０へ送信され、会員情報ＤＢ２６ｂに記憶される（Ｓ１０２）。
【０１１５】
会員２に属する複数の会員構成員３は、会員構成員端末７を使用して前記エンタープライズビデオを制作する（Ｓ１０３）。制作された前記エンタープライズビデオは会員サーバ６へ送信され、会員専用コンテンツＤＢ２０ａに記憶される。
【０１１６】
一方で、スポンサー４は、会員２に提供する会員向け資金をサービス提供者１に支払い、スポンサー端末１１を使用して会員２に提供する自己の広告コンテンツを制作する（Ｓ１０４）。また、図５に例示される必要なスポンサー情報３３を入力する。制作された前記広告コンテンツはスポンサー情報３３と共にサービス提供者サーバ１０へ送信され、スポンサー情報ＤＢ２６ａに記憶される（Ｓ１０５）。
【０１１７】
第一の割当金額算出部２７ａは、第一のスポンサー４ａから提供された会員向け資金の金額を、スポンサー端末１１から提供された前記広告コンテンツを含む第一のスポンサー情報３３ａの提供を受ける一般会員２ａに所属する複数の会員３構成員一人一人に分配・割り当てる際の第一の割り当て金額を算出する（Ｓ１０６）。算出された前記第一の割り当て金額は会員情報ＤＢ２６ｂに記憶される（Ｓ１０７）。
【０１１８】
第一の広告コンテンツ順位付け手段２８は、第一の割当金額算出部２７ａが算出した前記第一の割り当て金額に基づいて、複数の第一のスポンサー４ａそれぞれの前記広告コンテンツを前記第一の割り当て金額の多寡に応じて一般会員２ａに係る会員構成員端末７に表示させる順位を決める（Ｓ１０８）。当該順位に関する情報はスポンサー情報ＤＢ２６ａに記憶される（Ｓ１０９）。
【０１１９】
第一のスポンサー情報提供手段２９は、スポンサー情報ＤＢ２６ａに記憶されている図５に例示したスポンサー情報３３に含まれている第一のスポンサー情報３３ａを会員サーバ６に提供する（Ｓ１１０）。
【０１２０】
会員サーバ６では、認証手段２１によって会員２や会員構成員３のＩＤやパスワード等が認証された会員構成員端末７からの要求に従い、会員専用コンテンツ配信手段２２が会員専用コンテンツＤＢ２０ａから当該要求に係る前記エンタープライズビデオを取得し、当該ビデオを会員構成員端末７へ配信する（Ｓ１１６）。
【０１２１】
また、広告コンテンツ配信手段２３が、第一のスポンサー情報３３ａに含まれる広告コンテンツを会員構成員端末７へ配信する（Ｓ１１７）。
【０１２２】
上述のＳ１０５において、第二の割当金額算出部２７ｂは、第二のスポンサー４ｂから提供された特定会員向け資金の金額を、スポンサー端末１１から提供された前記広告コンテンツを含む第二のスポンサー情報３３ｂの提供を受ける特定会員２ｂに所属する複数の会員構成員３一人一人に分配・割り当てる際の第二の割り当て金額を算出する（Ｓ１１１）。算出された前記第二の割り当て金額は会員情報ＤＢ２６ｂに記憶される（Ｓ１１２）。
【０１２３】
第二の広告コンテンツ順位付け手段３０は、第二の割当金額算出部２７ｂが算出した第二の割り当て金額に基づいて、複数の第二のスポンサー４ｂそれぞれの前記広告コンテンツを前記割り当て金額の多寡に応じて特定会員２ｂに係る会員構成員端末７に表示させる順位を決める（Ｓ１１３）。当該順位に関する情報はスポンサー情報ＤＢ２６ａに記憶される（Ｓ１１４）。
【０１２４】
第二のスポンサー情報提供手段３１は、スポンサー情報ＤＢ２６ａに記憶されている図５に例示したスポンサー情報３３に含まれている第二のスポンサー情報３３ｂを会員サーバ６に提供する（Ｓ１１５）。
【０１２５】
会員サーバ６では、認証手段２１によって会員２や会員構成員３のＩＤやパスワード等が認証された会員構成員端末７からの要求に従い、会員専用コンテンツ配信手段２２が会員専用コンテンツＤＢ２０ａから当該要求に係る前記エンタープライズビデオを取得し、当該ビデオを会員構成員端末７へ配信する（Ｓ１１６）。
【０１２６】
また、広告コンテンツ配信手段２３が、第二のスポンサー情報３３ｂに含まれる広告コンテンツを特定会員２ｂに係る会員構成員端末７へ配信する（Ｓ１１７）。
【０１２７】
図９は、上述したＳ１１６、Ｓ１１７において、エンタープライズビデオ及び広告コンテンツが会員構成員端末７に表示される一例を表す図である。
【０１２８】
図示の例では、会員構成員端末７の表示手段１７の会員専用コンテンツ表示領域３５に会員専用コンテンツ３６が表示されている。また、広告コンテンツ表示領域３７に第一のスポンサー情報３３ａに含まれる一般スポンサーの広告コンテンツ３８（３８１・・・３８ｎ）及び第二のスポンサー情報３３ｂに含まれる特定スポンサーの広告コンテンツ３９（３９１・・・３９ｎ）が表示されている。
【０１２９】
一般スポンサーの広告コンテンツ３８は、上述した第一の広告コンテンツ順位付け手段２８によって決められた前記第一の割り当て金額の多寡に基づく前記広告コンテンツの表示順位に従って、一般会員２ａに属する構成員３の会員構成員端末７に表示される。
【０１３０】
また、特定スポンサーの広告コンテンツ３９は、上述した第二の広告コンテンツ順位付け手段３０によって決められた前記第二の割り当て金額の多寡に基づく前記広告コンテンツの表示順位に従って、特定会員２ｂに属する構成員３の会員構成員端末７に表示される。
【０１３１】
２．エンタープライズビデオシステムの利用料金を算出する処理
【０１３２】
図８は、サービス提供者サーバ１０の処理のうち、会員２が自己に所属している会員構成員３の人数に応じてサービス提供者１に支払う会員専用コンテンツ配信システム９の利用料金を算出する処理の一例を表すフローチャートである。
【０１３３】
上述したＳ１０７、Ｓ１１２の後、利用料金算出手段３２は、第一の割当金額算出部２７ａが算出し集計した第一のスポンサー４ａが提供した会員向け資金の前記第一の割り当て金額に基づいて、一般会員２ａが自己に所属している会員構成員３の人数に応じてサービス提供者１に支払う会員専用コンテンツ配信システム９の利用料金を一般会員２ａごとに算出する（Ｓ１１８）。算出された前記利用料金は会員情報ＤＢ２６ｂに記憶される（Ｓ１１９）。
【０１３４】
また、利用料金算出手段３２は、第二の割当金額算出部２７ｂが算出し集計した第二のスポンサー４ｂが提供した特定会員向け資金の前記第二の割り当て金額に基づいて、特定会員２ｂが自己に所属している会員構成員３の人数に応じてサービス提供者１に支払う会員専用コンテンツ配信システム９の利用料金を特定会員２ｂごとに算出する（Ｓ１１８）。算出された前記利用料金は会員情報ＤＢ２６ｂに記憶される（Ｓ１１９）。
【０１３５】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【０１３６】
１      サービス提供者
２（２１・・・２ｎ）  会員
２ａ    一般会員
２ｂ    特定会員
３（３１・・・３ｎ）  会員構成員
４      スポンサー
４ａ    第一のスポンサー
４ｂ    第二のスポンサー
５      広告制作者
５ａ    広告制作者端末
６（６１・・・６ｎ）  会員サーバ
７（７１・・・７ｎ）  会員構成員端末
８      会員内通信ネットワーク
９      会員専用コンテンツ配信システム
１０    サービス提供者サーバ
１１    スポンサー端末
１２    通信ネットワーク
１３    エンタープライズビデオシステム
１４    会員構成員端末の情報送受信手段
１５    会員構成員端末の制御手段
１６    会員構成員端末の入力手段
１７    会員構成員端末の表示手段
１８    会員サーバの情報送受信手段
１９    会員サーバの制御手段
２０    会員サーバの記憶手段
２０ａ  会員専用コンテンツＤＢ
２１    認証手段
２２    会員専用コンテンツ配信手段
２３    広告コンテンツ配信手段
２４    サービス提供者サーバの情報送受信手段
２５    サービス提供者サーバの制御手段
２６    サービス提供者サーバの記憶手段
２６ａ  スポンサー情報ＤＢ
２６ｂ  会員情報ＤＢ
２７    割当金額算出手段
２７ａ  第一の割当金額算出部
２７ｂ  第二の割当金額算出部
２８    第一の広告コンテンツ順位付け手段
２９    第一のスポンサー情報提供手段
３０    第二の広告コンテンツ順位付け手段
３１    第二のスポンサー情報提供手段
３２    利用料金算出手段
３３    スポンサー情報
３３ａ  第一のスポンサー情報
３３ｂ  第二のスポンサー情報
３４    会員情報
３５    会員専用コンテンツ表示領域
３６    会員専用コンテンツ
３７    広告コンテンツ表示領域
３８（３８１・・・３８ｎ）  一般スポンサーの広告コンテンツ
３９（３９１・・・３９ｎ）  特定スポンサーの広告コンテンツ
【図１】
2016177532.tif 000003
【図２】
2016177532.tif 000004
【図３】
2016177532.tif 000005
【図４】
2016177532.tif 000006
【図５】
2016177532.tif 000007
【図６】
2016177532.tif 000008
【図７】
2016177532.tif 000009
【図８】
2016177532.tif 000010
【図９】
2016177532.tif 000011